(57)【特許請求の範囲】
【請求項１】
他の画像形成装置における色味を所望の画像形成装置において再現可能にするための色調整装置であって、
前記所望の画像形成装置の特定の用紙における色値と一又は二種以上の不特定の用紙における色値とを取得する色値取得手段と、
前記特定の用紙における色値と前記不特定の用紙における色値とを関連づける関係式を、前記不特定の用紙ごとに求める関係式生成手段と、
前記不特定の用紙における基準色の特性情報を求め、前記不特定の用紙ごとの関係式を前記基準色の特性情報に紐付けて登録する用紙情報登録手段と、
任意の用紙における基準色の特性情報に基づいて前記不特定の用紙ごとの関係式から対応する関係式を特定し、当該特定した関係式と前記他の画像形成装置の前記任意の用紙における色値にもとづいて、前記他の画像形成装置の前記特定の用紙における予測色値を算出する予測色値算出手段と、
前記予測色値を、前記所望の画像形成装置が模擬する色値として設定する模擬色値設定手段と、を備える
ことを特徴とする色調整装置。
【請求項２】
前記模擬色値設定手段は、
前記予測色値を、前記所望の画像形成装置が予め有する前記特定の用紙にもとづく色変換テーブルの対応する色値に適用することによって、前記所望の画像形成装置が模擬する色値として設定する
ことを特徴とする請求項１記載の色調整装置。
【請求項３】
前記特性情報は、対象の用紙における所定の波長に対する分光反射率からなる
ことを特徴とする請求項１又は２記載の色調整装置。
【請求項４】
前記関係式生成手段は、
前記特定の用紙における色値と前記不特定の用紙における色値とにもとづく所定の回帰学習にもとづいてこれらを関連づける関係式を、前記不特定の用紙ごとに求める
ことを特徴とする請求項１〜３のいずれか一項記載の色調整装置。
【請求項５】
他の画像形成装置における色味を所望の画像形成装置において再現可能にするための色調整方法であって、
前記所望の画像形成装置の特定の用紙における色値と一又は二種以上の不特定の用紙における色値とを取得する色値取得ステップと、
前記特定の用紙における色値と前記不特定の用紙における色値とを関連づける関係式を、前記不特定の用紙ごとに求める関係式生成ステップと、
前記不特定の用紙における基準色の特性情報を求め、前記不特定の用紙ごとの関係式を前記基準色の特性情報に紐付けて登録する用紙情報登録ステップと、
任意の用紙における基準色の特性情報に基づいて前記不特定の用紙ごとの関係式から対応する関係式を特定し、当該特定した関係式と前記他の画像形成装置の前記任意の用紙における色値にもとづいて、前記他の画像形成装置の前記特定の用紙における予測色値を算出する予測色値算出ステップと、
前記予測色値を、前記所望の画像形成装置が模擬する色値として設定する模擬色値設定ステップと、を有する
ことを特徴とする色調整方法。
【請求項６】
他の画像形成装置における色味を所望の画像形成装置において再現可能にするための色調整プログラムであって、
コンピューターを、
前記所望の画像形成装置の特定の用紙における色値と一又は二種以上の不特定の用紙における色値とを取得する色値取得手段、
前記特定の用紙における色値と前記不特定の用紙における色値とを関連づける関係式を、前記不特定の用紙ごとに求める関係式生成手段、
前記不特定の用紙における基準色の特性情報を求め、前記不特定の用紙ごとの関係式を前記基準色の特性情報に紐付けて登録する用紙情報登録手段、
任意の用紙における基準色の特性情報に基づいて前記不特定の用紙ごとの関係式から対応する関係式を特定し、当該特定した関係式と前記他の画像形成装置の前記任意の用紙における色値にもとづいて、前記他の画像形成装置の前記特定の用紙における予測色値を算出する予測色値算出手段、及び
前記予測色値を、前記所望の画像形成装置が模擬する色値として設定する模擬色値設定手段、として機能させる
ことを特徴とする色調整プログラム。
【発明の詳細な説明】
【技術分野】
【０００１】
本発明は、所望の色味を再現するための色調整装置、色調整方法、及び、色調整プログラムに関し、特に、他の画像形成装置における色味を所望の画像形成装置において模擬することができる色調整装置、色調整方法、及び、色調整プログラムに関する。
【背景技術】
【０００２】
プリンターなどの画像形成装置には、通常、特定の推奨紙がメーカーによって指定されており、推奨紙を使用する限りにおいては色味等の画質が保証されている。
しかしながら、ユーザーは、推奨紙を常に使用しているとは限らず、どちらかと言えば、他の用紙を使用して印刷が行われている場合が多く、必ずしも保証された色値により印刷が行われていない状況にあると考えられる。
このため、用紙の違いその他印刷環境を考慮した補正等によって色味の再現性を高める種々の技術が提案されている（例えば、特許文献１〜３参照）。
また、線形変換、ガンマ補正、トナーを溶かす熱量や時間を変化させる補正等も現実に行われている。
【０００３】
ところが、このような補正等を行ったとしても、メーカーが保証する色味を忠実に再現することは困難で有り、また、補正を行うユーザーに対し高度な技術的知識が求められるため、理想の色味を追求するには限界がある。
また、ユーザーは、メーカーが保証する色味よりも、自身が使用を重ね、現に使用している色味を変わることなく使用し続けたいといったニーズがある。
例えば、プリンターを新たな製品に代える場合には、それまで使用していたプリンターの色味を新たなプリンターにおいても再現できるようにしたいといった要求がある。
したがって、ユーザーの視点に立てば、このような要求に対し優先して応えるべきである。
【０００４】
このような要求に対しては、図１１に示すように、プリンター２（元のプリンター）とプリンター１（新たなプリンター）のそれぞれにおいて同じ推奨紙Ｐ１で同一の入力データにもとづき印刷した色値を計測し、計測値の関連づけをプリンター１に適用することによってプリンター１においてプリンター２の色味を模擬することができる。
メーカーは、プリンター１の推奨紙Ｐ１における色値を始めから保有しているため、上記措置は比較的容易に行うことができる。
【０００５】
ただし、前述のように、ユーザーは、推奨紙Ｐ１ではなく他の用紙を使用していることがあり、この場合、用紙を統一して色味を比較する必要がある。
具体的には、図１２に示すように、推奨紙Ｐ１にプリンター１とプリンター２によって印刷したときの色値の比較（上段）、又は、他の用紙Ｐ２にプリンター１とプリンター２によって印刷したときの色値の比較（下段）にもとづいて模擬すべき色味を正しく算出することができる。
【先行技術文献】
【特許文献】
【０００６】
【特許文献１】特開２０１２−３２３４０号公報
【特許文献２】特開２０１２−２３７１１号公報
【特許文献３】特許第４３１９９２９号公報
【発明の概要】
【発明が解決しようとする課題】
【０００７】
しかしながら、ユーザーが海外等の遠隔地にいるような場合、推奨紙そのものを入手できない場合やメーカーがプリンター２を容易に準備できない場合等、プリンター２の推奨紙Ｐ１における色値の取得が困難となる場合には、図１２の上段の比較は出来ない。
一方、プリンター１には、本来、推奨紙Ｐ１の使用を前提とした、色味を再現するための色変換テーブルを備えているため、図１２の下段の方法だと色比較の結果を直接色変換テーブルに適用することができない。
このため、ユーザーにおいて推奨紙以外の用紙を使用する場合には、プリンター１において、プリンター２における色味を模擬することは困難であった。
【０００８】
本発明は、以上のような事情に鑑みなされたものであり、他の画像形成装置の推奨紙における色値を精度良く予測することによって、画像形成装置や使用する用紙の異同を問わず、所望の画像形成装置においてその色味を模擬できるようにする色調整装置、色調整方法、及び、色調整プログラムの提供を目的とする。
【課題を解決するための手段】
【０００９】
上記目的を達成するため、本発明の色調整装置は、他の画像形成装置における色味を所望の画像形成装置において再現可能にするための色調整装置であって、所望の画像形成装置の特定の用紙における色値と一又は二種以上の不特定の用紙における色値とを取得する色値取得手段と、特定の用紙における色値と不特定の用紙における色値とを関連づける関係式を、不特定の用紙ごとに求める関係式生成手段と、不特定の用紙における基準色の特性情報を求め、不特定の用紙ごとの関係式を前記基準色の特性情報に紐付けて登録する用紙情報登録手段と、使用を予定する任意の用紙における基準色の特性情報によって特定される前記関係式と前記他の画像形成装置の前記任意の用紙における色値にもとづいて、前記他の画像形成装置の前記特定の用紙における予測色値を算出する予測色値算出手段と、予測色値を、所望の画像形成装置が模擬する色値として設定する模擬色値設定手段と、を備えるようにしてある。
【００１０】
また、本発明の色調整方法は、他の画像形成装置における色味を所望の画像形成装置において再現可能にするための色調整方法であって、所望の画像形成装置の特定の用紙における色値と一又は二種以上の不特定の用紙における色値とを取得する色値取得ステップと、特定の用紙における色値と前記不特定の用紙における色値とを関連づける関係式を、不特定の用紙ごとに求める関係式生成ステップと、不特定の用紙における基準色の特性情報を求め、不特定の用紙ごとの関係式を前記基準色の特性情報に紐付けて登録する用紙情報登録ステップと、使用を予定する任意の用紙における基準色の特性情報によって特定される前記関係式と他の画像形成装置の任意の用紙における色値にもとづいて、他の画像形成装置の特定の用紙における予測色値を算出する予測色値算出ステップと、予測色値を、所望の画像形成装置が模擬する色値として設定する模擬色値設定ステップと、を有するようにしてある。
【００１１】
また、本発明の色調整プログラムは、他の画像形成装置における色味を所望の画像形成装置において再現可能にするための色調整プログラムであって、コンピューターを、所望の画像形成装置の特定の用紙における色値と一又は二種以上の不特定の用紙における色値とを取得する色値取得手段、特定の用紙における色値と不特定の用紙における色値とを関連づける関係式を、不特定の用紙ごとに求める関係式生成手段、不特定の用紙における基準色の特性情報を求め、不特定の用紙ごとの関係式を前記基準色の特性情報に紐付けて登録する用紙情報登録手段、使用を予定する任意の用紙における基準色の特性情報によって特定される関係式と他の画像形成装置の任意の用紙における色値にもとづいて、他の画像形成装置の特定の用紙における予測色値を算出する予測色値算出手段、及び、予測色値を、所望の画像形成装置が模擬する色値として設定する模擬色値設定手段、として機能させるようにしてある。
【発明の効果】
【００１２】
本発明の色調整装置、色調整方法、及び、色調整プログラムによれば、画像形成装置や使用する用紙の異同を問わず、他の画像形成装置における色味を所望の画像形成装置において模擬することができる。
【図面の簡単な説明】
【００１３】
【図１】本発明の実施形態における色値予測を説明するための図である。
【図２】本発明の実施形態に係る色調整装置（プリンター）の構成図である。
【図３】色調整装置の制御部の機能ブロック図である。
【図４】関係式の求め方を示す図である。
【図５】予測関係式とプリンターの関係を示す図である。
【図６】用紙ごとの分光反射率を示す図である。
【図７】用紙ごとの色値予測データベースを示す図である。
【図８】予測関係式の算出手順を示すフローチャートである。
【図９】用紙情報の登録手順を示すフローチャートである。
【図１０】色値予測及び色値模擬の手順を示すフローチャートである。
【図１１】推奨紙における色比較にもとづいて色値を模擬する方法を示す図である。
【図１２】推奨紙とは異なる用紙を使用する場合において色値を模擬する方法を示す図である。
【発明を実施するための形態】
【００１４】
本発明の色調整装置の実施形態について説明する。
本発明の色調整装置は、ある画像形成装置（プリンター２とする）における色味を所望の画像形成装置（プリンター１とする）において再現するための装置である。
具体的には、図１に示すように、プリンター１の推奨紙Ｐ１における色値と、プリンター１においてユーザーが使用を予定する用紙Ｐ２における色値との関係から予測関係式Ｆを算出し、プリンター２においてユーザーが現在使用している用紙Ｐ２における色値に予測関係式Ｆを適用することで、プリンター２の推奨紙Ｐ１における色値を予測し、当該予測した色値にもとづいてプリンター２における色味をプリンター１で模擬するものである。
この方法によれば、メーカー側からすると、プリンター１の用紙Ｐ２における色値やプリンター２の用紙Ｐ２における色値（同図下段）はユーザーや販社から取得容易であり、また、プリンター１に推奨紙Ｐ１における色値（同図上段左）は、メーカーが初めから保有しているため、プリンター２の推奨紙Ｐ１における色値を入手し難い環境においても当該色値を容易に予測することができる。
このため、プリンター２の色味をプリンター１において簡単に模擬することが可能となる。
【００１５】
色調整装置１は、ＣＰＵ、ＲＯＭ、ＲＡＭ等を備えたコンピューターによって構成され、ＲＯＭに記憶されている色調整プログラムを実行することで、少なくともプリンター１及びプリンター２とデータの送受信を可能とする通信機能、又は、必要なデータを入出力するインターフェースを有することが条件となる。
このような構成及び機能を有する色調整装置としては、例えば、パーソナルコンピューター等の情報処理装置やプリンター等の画像形成装置を応用して構成することができる。
そこで、本実施形態においては、色調整を行うプリンター１が色調整装置としての必要な構成を備える場合、すなわち、プリンター１が、一般的な印刷装置であるとともに、色調整装置である例について以下説明する
【００１６】
図２は、本実施形態に係る色調整装置の構成図である。
図２に示すように、本実施形態の色調整装置１は、色変換を行う際に参照する色変換テーブル１２ａを保有する記憶装置１２と、液晶パネル等からなる表示部１３と、必要な命令や情報を入力するための操作部１４と、色変換等の画像処理が施された画像データを用紙に印字する出力部１５と、図示しない原稿台に置かれた原稿等を読み取るスキャナー１６と、図示しない印刷用コンピューター（パソコン等）とＬＡＮ等を介して印刷データ等の通信を行う通信部１７と、これら各構成部の動作を制御する制御部１１と、を備える。
【００１７】
制御部１１は、ＣＰＵ１１ａ、ＲＯＭ１１ｂ、ＲＡＭ１１ｃを備え、本実施形態においては、ＣＰＵ１１ａが、所定のプログラムをＲＯＭ１１ｂから読み出し、読み出されたプログラムを実行することにより、プリンター２における色味を再現するための必要な動作を自ら行い又は他の構成部に行わせる。なお、ＲＡＭ１１ｃは、ＣＰＵ１１ａがプログラムを実行する際の作業用メモリとして用いられる。
【００１８】
図３は、色調整装置の制御部の機能ブロック図である。
図３に示すように、制御部１１は、色値取得部１０１、予測関係式生成部１２１、用紙情報登録部１２２、色値予測部１２３、及び、カラー模擬部１２４を備える。
色値取得部１１は、プリンター１により出力したチャートの色値（分光反射率）を測定し、得られた測定データを取得する。
具体的には、プリンター１において、入力データにもとづくチャートを一又は二種以上の用紙（不特定の用紙）Ｐ＊に印刷し用紙ごとの測定値である色値群ｂｎを求めるとともに、同一の入力データにもとづくチャートを推奨紙（特定の用紙）Ｐ１に印刷してその測定値から色値群ａｎを求める（色値取得手段）。
プリンターを共通にした場合の用紙間の色味の違いを抽出し、関係式によって表すためである。このため、取得した色値は、予測関係式生成部１２１に渡される。
なお、チャートの色値取得は、例えば、チャートを個別の測定器によって測定してその測定値を手動で取得したり、スキャナー１６により測定することによって自動的に取得することができる。
【００１９】
また、色値取得部１１は、対象となる任意の用紙の基準色の色値特性を取得し、その任意の用紙に上記チャートと同様のチャートをプリンター２により印刷してその測定値から得られる色値群を求める処理も行う。
「任意の用紙」は、今後、ユーザーが、プリンター１において使用を予定している用紙が該当し、特に、ユーザーが、それまでプリンター２で使用してきた用紙が該当する。ユーザーが、プリンター２で使用してきた用紙における色味を、プリンター１で再現するためである。
なお、この場合、色値取得部１１は、取得した色値を、色値予測部１２３に出力する。
【００２０】
予測関係式生成部（関係式生成手段）１２１は、プリンター１の推奨紙Ｐ１における色値と、プリンター１の用紙Ｐ＊における色値とを関連づける関係式（予測関係式）を、用紙Ｐ＊ごとに求める。
このため、予測関係式生成部１２１は、学習部１０２と回帰関数取得部１０３を備える。
学習部１０２は、色値取得部１０１が取得した色値群ｂｎ及び色値群ａｎについて、色値群ｂｎから色値群ａｎへと回帰するための学習を行う。
回帰関数取得部１０３は、学習の結果にもとづき、予測を行うための回帰関数（関係式）を求める。
つまり、図４に示すように、プリンター１における特性取得のため、同一のチャートを推奨紙Ｐ１と用紙Ｐ＊にそれぞれ印刷し、これらを測定器で計測して得た「プリンター１の推奨紙Ｐ１における色値」と「プリンター１の用紙Ｐ＊における色値」との関係式Ｆ＊を算出する。
【００２１】
例えば、次式（１）にもとづいて、用紙Ｐ＊の計測可能範囲（３８０〜７３０ｎｍ）における一定波長に対する分光反射率に所定の係数を掛け合わせ合計し、これらに対し、各波長ごとにＲａｎｄｏｍ  Ｆｏｒｅｓｔによる回帰学習を行って関係式Ｆを算出する。
【数１】
0005622805.tif 000002
そして、回帰学習により得られた用紙Ｐ＊ごとの予測関係式Ｆ＊を、用紙情報登録部１２２に受け渡す。
このようにするのは、図５に示すように、プリンター１の用紙Ｐ＊における色値ｂｎと推奨紙Ｐ１における色値ａｎの関係（予測関係式Ｆ）は、プリンター２の用紙Ｐ＊における色値ｂｎと推奨紙Ｐ１における色値ａｎの関係（予測関係式Ｆ）と同じであるため、後者の関係を求めることができない場合であっても、前者の関係を利用してプリンター２の推奨紙Ｐ１における色値を予測することができるからである。
なお、Ｒａｎｄｏｍ  Ｆｏｒｅｓｔは、対象となる２つの関係を求めるための回帰学習の一手法である。このため、他の既知の回帰学習を用いることも可能である。
【００２２】
用紙情報登録部（用紙情報登録手段）１２２は、用紙Ｐ＊における基準色（少なくとも白色もしくは他のベタ色）の特性情報を求め、これを用紙Ｐ＊ごとの関係式に探索キーとして紐付けて記憶装置１２の特定の記憶領域に登録する。
このため、用紙情報登録部１２２は、基準色の情報登録部１０４と回帰関数登録部１０５を備える。
【００２３】
基準色の情報登録部１０４は、例えば、用紙Ｐ＊の紙白を基準色とし、波長と分光反射率との関係にもとづくパラメータを用いることができる。
図６は、推奨紙Ｐ１と用紙Ｐ２の紙白における波長と分光反射率との関係を示す図である。
同図に示すように、例示される用紙Ｐ２は、波長４２０〜４９０ｎｍの範囲で分光反射率が用紙Ｐ１と顕著に異なる。このように、用紙によっては一定の波長において分光反射率が異なるため、用紙を識別するための特性情として利用することができる。
回帰関数登録部１０５は、用紙Ｐ＊における回帰関数の関係式Ｆ＊を、基準色の特性情報とセットで登録する。
すなわち、図７に示すように、用紙Ｐ＊に関する関係式Ｆ＊と、用紙Ｐ＊の基準色の特性情報とのセットを用紙ごとに登録してデータベース化する。
【００２４】
色値予測部（予測色値算出手段）１２３は、ユーザーが使用を予定している任意の用紙における基準色の特性情報から特定される関係式と、プリンター２の任意の用紙における色値にもとづいて、プリンター２の推奨紙Ｐ１における予測色値を算出する。
このため、色値予測部１２３は、基準色の情報取得部１０６と、基準色の検索部１０７と、回帰による色値予測部１０８を備える。
【００２５】
基準色の情報取得部１０６は、任意の用紙における基準色の特性情報（分光反射率）を、スキャナー１６や測定器で計測して取得する。
基準色の検索部１０７は、取得した基準色の特性情報を基に、記憶装置１２の特定の記憶領域にアクセスして検索し、同じ用紙と認識できるところの関係式を特定して取得する。例えば、その基準色の特性情報と同一又は最も近似する特性情報に紐付けてある関係式を抽出する。
例えば、図７は、複数の用紙＊の中から用紙Ｐ３が任意の用紙と同じ用紙と認識され、プリンター１の用紙Ｐ３における色値とプリンター１の推奨紙Ｐ１における色値との関連を示す関係式Ｆ３が記憶領域から抽出される例を示す。
回帰による色値予測部１０８は、特定された関係式にもとづいて、プリンター２の推奨紙Ｐ１における色値を予測する。
【００２６】
カラー模擬部（模擬色値設定手段）１２４は、色値予測部１２３によって求められた予測色値にもとづいてプリンター１が模擬する色値を設定する。
このため、カラー模擬部１２４は、ＬＵＴ特性取得部１０９と、色値の模擬部１１０と、ＬＵＴ適用部１１１を備える。
ＬＵＴ特性取得部１０９は、プリンター１に初期搭載されるＬＵＴ１２ａの色値情報を記憶装置１２から取得する。ＬＵＴ１２ａは、例えば、入力した色値（ＲＧＢ）をＬａｂに変換する第一のテーブルと、Ｌａｂを出力値（ＣＭＹＫ）に変換する第二のテーブルの組み合わせによって構成することができる。また、ＬＵＴ１２ａは、推奨紙Ｐ１にもとづく保証色値（Ｌａｂ等）が設計されている。
色値の模擬部１１０は、色値予測部１２３より得られた予測色値を目標とする色（模擬する色）とし、予測色値をＬＵＴ１２ａに適用するための演算を行う。
例えば、求めた予測色値を、ＬＵＴ１２ａの第一のテーブルの対応するＬａｂ値に変換し、これを模擬色値とする。
ＬＵＴ適用部１１１は、適用可能に演算された模擬色値に係るデータをＬＵＴ１２ａに適用する。
【００２７】
このような構成からなる色調整装置１によれば、色値取得部１０１が、プリンター１の推奨紙Ｐ１（特定の用紙）における色値と一又は二種以上の不特定の用紙Ｐ＊における色値とを取得し、予測関係式生成部１２１が、推奨紙Ｐ１における色値と不特定の用紙Ｐ＊における色値とを関連づける関係式Ｆを、不特定の用紙ごとに求め、用紙情報登録部１２２が、不特定の用紙Ｐ＊における基準色の特性情報を求め、不特定の用紙ごとの関係式を基準色の特性情報に紐付けて登録するようにしている。
そして、色値予測部１２３が、任意の用紙における基準色の特性情報にもとづいて特定される関係式Ｆとプリンター２の任意の用紙における色値にもとづいて、プリンター２の推奨紙Ｐ１における予測色値を算出し、カラー模擬部１２４が、その予測色値を、プリンター１が模擬する色値として設定するようにしている。
【００２８】
すなわち、同じプリンターで印刷されたチャートを測定し、その関係から予測式を生成することで、予測精度の高い関係式を生成するようにしている。
このため、目標となる色が推奨紙で印刷されていなくても、推奨紙環境で得られる値を精度良く予測し再現することが可能となる。
また、一又は二種以上の不特定の用紙Ｐ＊の用紙ごとに推奨紙との色値の関係を求め、これを登録するようにしているため、ユーザーは、用紙の種類を知らなくても、目標となる色を再現することができる。
【００２９】
（色調整方法）
つぎに、色調整方法について説明する。
本実施形態の色調整方法は、予測関係式の算出と、用紙ごとの情報登録と、模擬データの生成とを、順に行う工程としている。
【００３０】
図８は、予測関係式の算出手順を示すフローチャートである。
図８に示すように、「予測関係式の算出」においては、まず、色値取得部１０１が、プリンター１の推奨紙Ｐ１における色値を取得する（Ｓ２０１）。
次いで、色値取得部１０１が、プリンター１の用紙Ｐ＊における色値を取得する（Ｓ２０２）。
続いて、学習部１０２が、プリンター１の推奨紙Ｐ１における色値と用紙Ｐ＊における色値とにもとづき、Ｒａｎｄｏｍ  Ｆｏｒｅｓｔによる回帰学習を行う（Ｓ２０３）。
そして、回帰関数取得部１０３が、学習により得られた関係式を取得する（Ｓ２０４）。
【００３１】
図９は、用紙ごとの情報登録手順を示すフローチャートである。
図９に示すように、「用紙ごとの情報登録」においては、用紙情報登録部１２２が、用紙Ｐ＊の基準色の特性情報を探索キーとして求め、先の工程で得た関係式と対応する探索キーとを紐付けて特定の記憶領域に保存する（Ｓ３０１，Ｓ３０２）。
【００３２】
図１０は、模擬データの生成手順を示すフローチャートである。
図１０に示すように、「模擬データの生成」においては、まず、色値取得部１０１が、プリンター２の任意の用紙における色値を取得する（Ｓ４０１）。
次いで、基準色の情報取得部１０６が、任意の用紙における基準色の特性を抽出する（Ｓ４０２）。
次に、基準色の検索部１０７が、記憶装置１２の特定の記憶領域から、基準色の特性情報が一致するデータ（近似データを含む）を検索する（Ｓ４０３）。
回帰による色値予測部１０８は、検出された関係式とＳ４０１で取得した色値にもとづいて予測色値を算出する（Ｓ４０４）。
続いて、色値の模擬部１１０が、予測色値を模擬するために必要な演算を行う（Ｓ４０５）。
そして、ＬＵＴ適用部１１１が、模擬値をＬＵＴ１２ａに適用する（Ｓ４０６）。
【００３３】
（色調整プログラム）
次に、色調整プログラムについて説明する。
上記実施形態におけるコンピューター（プリンター１）の色値取得機能、予測関係式生成機能、用紙情報登録機能、色値予測機能、カラー模擬機能等は、ＲＯＭ１１ｂに記憶された色調整プログラムにより実現される。
色調整プログラムは、ＣＰＵ１１ａに読み込まれることにより、構成各部に指令を送り、プリンター２の任意の用紙における色味を模擬する処理を行う。
これによって、前記各機能は、ソフトウェアである色調整プログラムとハードウェア資源であるコンピューター（プリンター１）の各構成手段とが協働することにより実現される。
【００３４】
なお、上記各機能を実現するための色調整プログラムは、ＲＯＭ１１ｂに記憶される他、コンピューターが読み取り可能な記録媒体、例えば、外部記憶装置及び可搬記録媒体に格納することができる。
外部記憶装置とは、ＣＤ−ＲＯＭ（Compact  disc−Read  Only  Memory）等の記録媒体を内蔵し、プリンター１に外部接続されるメモリ増設装置をいう。一方、可搬記録媒体とは、記録媒体駆動装置（ドライブ装置）に装着でき、かつ、持ち運び可能な記録媒体であって、例えば、フレキシブルディスク、メモリカード、光磁気ディスク等をいう。
【００３５】
そして、記録媒体に記録されたプログラムは、ＲＡＭ１１ｃにロードされて、ＣＰＵ１１ａにより実行される。この実行により、上述した実施形態の各機能が実現される。
さらに、ＣＰＵ１１ａで色調整プログラムをロードする場合、他のコンピューターで保有されたこれらのプログラムを、通信回線を利用して自己の有するＲＡＭ１１ｃや外部記憶装置にダウンロードすることもできる。このダウンロードされたプログラムも、ＣＰＵ１１ａにより実行されることによって上述した実施形態の各機能を実現することができる。
【００３６】
このように、本発明は、方法やプログラムによっても実施することができる。
すなわち、色調整装置とは異なる実施態様によっても本発明の目的を達することができ、同一の作用効果を奏することができる。
このため、本発明を様々な実施態様に適用して広く利用できるようになる。
【００３７】
以上、本発明の色調整装置、色調整方法及び色調整プログラムについて、好ましい実施形態を示して説明したが、本発明の態様は、上述した実施形態に限定されるものではなく、本発明の範囲で種々の変更実施が可能であることは言うまでもない。
例えば、上述の色調整装置が、プリンターの機能を兼ねる場合の例について説明したが、専ら色調整機能を備えた装置構成であってもよい。
また、用紙のみならず、他の記録媒体や表示媒体等であってもよく、また、そのような媒体上に色味を表現するためのデバイス、方法、プログラムに対しても本発明を適用することができる。
【産業上の利用可能性】
【００３８】
本発明は、パーソナルコンピューター等の情報処理装置や、プリンター、コピー機、ファクシミリ装置、複合機などの画像形成装置に好適に用いることができる。
【符号の説明】
【００３９】
１  色調整装置（色調整を行うプリンター１）
２  プリンター（模擬対象の他のプリンター２）
１１  制御部
１０１  色値取得部
１２１  予測関係式生成部
１２２  用紙情報登録部
１２３  色値予測部
１２４  カラー模擬部
１２  記憶装置
１２ａ  ＬＵＴ（色変換テーブル）
【図１】
0005622805.tif 000003
【図２】
0005622805.tif 000004
【図３】
0005622805.tif 000005
【図４】
0005622805.tif 000006
【図５】
0005622805.tif 000007
【図６】
0005622805.tif 000008
【図７】
0005622805.tif 000009
【図８】
0005622805.tif 000010
【図９】
0005622805.tif 000011
【図１０】
0005622805.tif 000012
【図１１】
0005622805.tif 000013
【図１２】
0005622805.tif 000014